(57)【要約】      （修正有）【課題】ツメを掛ける箇所がない場合でも、長さを正確に計測することができるスケールを提供する。【解決手段】巻き取り可能な薄さの金属で且つ伸ばしたときに直立するように断面を湾曲させた帯状のテープ３００を、収納口から本体の内部にゼンマイバネで巻き取ったスケールであって、表面を上向きにしてテープを水平にしたときにテープの先端から上方にのみ垂設させたツメ３１０を有し、テープには、先端を右側として左に向かって昇順となる目盛りを付し、目盛りには、ツメを押し付けて計測するときの基準と、ツメを掛けて計測するときの基準とを設けると共に、所定の数値分だけシフトさせた基準も設け、水平面に対して本体の下面２０１を沿わせた状態で、水平面に沿ってテープが出るように収納口を設けた。【選択図】図１
0003199897.tif 000002
【実用新案登録請求の範囲】
【請求項１】
巻き取り可能な薄さの金属で且つ伸ばしたときに直立するように断面を湾曲させた帯状のテープを、収納口から本体の内部にゼンマイバネで巻き取ったスケールであって、
表面を上向きにした前記テープを水平にしたときに前記テープの先端から上方にのみ垂設させたツメを有し、
前記テープには、先端を右側としたときに右から左に向かって昇順となる目盛りを付し、
前記目盛りには、前記ツメを押し付けて計測するときの基準と、前記ツメを掛けて計測するときの基準とを設けると共に、所定の数値分だけシフトさせた基準も設け、
水平面に対して前記本体の下面を沿わせた状態で、前記水平面に沿って前記テープが出るように前記収納口を設けた、
ことを特徴とするスケール。
【考案の詳細な説明】
【技術分野】
【０００１】
本考案は、物の長短を差し測る道具であって、目盛りを付したテープが巻き取り式のスケールに関する。
【背景技術】
【０００２】
スケールは、物の長さを計測する物差しの一つであり、目盛りを付した帯状のテープが巻き取り式のものは巻尺と呼ばれ、さらにテープが鋼製の巻尺は、コンベックスとも呼ばれる。テープは、本体の内部に巻かれた状態で収納されており、計測時に収納口から引き伸ばされ、計測後は本体内に巻き込まれる。テープの先端にはツメが設けられ、計測時には対象物に引っ掛けることが可能であり、収納時にはテープの先端まで内部に入らないように収納口に引っ掛かる。通常、ツメは下方に向かって突出しており、対象物に引っ掛けた状態で、測定者はテープを伸ばし、目盛りを読む。特許文献１に記載されているように、ツメを上下の両方に突出させたスケールの考案も公開されている。
【先行技術文献】
【特許文献】
【０００３】
【特許文献１】実開平５−８７５０１号公報
【考案の概要】
【考案が解決しようとする課題】
【０００４】
しかしながら、特許文献１を含む従来のスケールにおいては、少なくともツメが下方に突出しているため、下方に引っ掛ける箇所のない床面などに沿って計測する場合には、ツメを押し付けて計測することになるが、ツメの高さ分だけ浮かせなければ、正確に計測することができない。先端がツメにより高くになった状態で、目印を付けようとしてテープを床面に沿わせた場合、傾斜している部分において誤差が発生することになる。
【０００５】
そこで、本考案は、ツメを掛ける箇所がない場合でも、長さを正確に計測することができるスケールを提供することを目的とする。
【０００６】
また、本考案は、ツメが邪魔とならず、本体を落下等させて他の物にぶつけてもツメが変形等するのを防止することができるスケールを提供することを別の目的とする。
【課題を解決するための手段】
【０００７】
上記の課題を解決するために、本考案であるスケールは、巻き取り可能な薄さの金属で且つ伸ばしたときに直立するように断面を湾曲させた帯状のテープを、収納口から本体の内部にゼンマイバネで巻き取ったスケールであって、表面を上向きにした前記テープを水平にしたときに前記テープの先端から上方にのみ垂設させたツメを有し、前記テープには、先端を右側としたときに右から左に向かって昇順となる目盛りを付し、前記目盛りには、前記ツメを押し付けて計測するときの基準と、前記ツメを掛けて計測するときの基準とを設けると共に、所定の数値分だけシフトさせた基準も設け、水平面に対して前記本体の下面を沿わせた状態で、前記水平面に沿って前記テープが出るように前記収納口を設けた、ことを特徴とする。
【考案の効果】
【０００８】
本考案によれば、ツメが上方に突出しているので、ツメを掛ける箇所がない床面などでも、ツメのあるテープの先端を壁面などに押し付け、テープを床面などに沿わせれば、テープが傾斜することはなく、長さを正確に計測することができる。基準となる０の位置を１０の位置にも設定したので、ツメの留具で隠れた目盛りを使うような短い物でも、基準をずらすことで、長さを正確に計測することができる。テープに右から左に向かって目盛りを付し、左手で持って計測を行うようにすることにより、右手はフリーになり、目印を付けたりすることが可能となる。
【０００９】
また、本考案によれば、ツメが下方に突出していないので、本体にツメの高さで脚を設ける必要もなく、本体の下面に沿ってテープが出るように収納口を設けても、ツメが邪魔となることはない。本体を落下等させて他の物にぶつけてもツメが変形等するのを防止することができるし、ツメが他の物を傷付けることも防止することができる。
【図面の簡単な説明】
【００１０】
【図１】本考案であるスケールの斜視図である。
【図２】本考案であるスケールの側面図である。
【図３】本考案であるスケールの正面図である。
【図４】本考案であるスケールのテープのツメを押し付けて計測する場合を示す図である。
【図５】本考案であるスケールのテープのツメを掛けて計測する場合を示す図である。
【図６】本考案であるスケールのテープに付した目盛りを示す図であり、（ａ）は表面を示す図であり、（ｂ）は裏面を示す図である。
【考案を実施するための形態】
【００１１】
以下に、本考案の実施形態について図面を参照して詳細に説明する。なお、同一機能を有するものは同一符号を付け、その繰り返しの説明は省略する場合がある。
【実施例１】
【００１２】
まず、本考案であるスケールの構造について説明する。図１は、スケールの斜視図であり、図２は、側面図であり、図３は、正面図である。図１〜３に示すように、スケール１００は、巻き取り可能な薄さの金属で且つ伸ばしたときに直立するように断面を湾曲させた帯状のテープ３００を、収納口２１０から本体２００の内部にゼンマイバネで巻き取った計測道具である。
【００１３】
本体２００は、内部が中空のケース内に、テープ３００の巻取収納機能を有する。巻取収納機能は、ケースの中心に芯などを設けて、その芯にテープ３００の一方の端である終端を貼着して、その芯を軸としてテープ３００を巻き付けていくことでケース内に収納する。なお、巻取収納機能として、テープ３００を引き出した後に、自動で元に戻るように、ゼンマイバネ（渦巻バネ）を使用しても良い。なお、テープ３００の他方の端である先端までケース内に収納されないように、テープ３００の先端にツメ３１０を設けて、収納口２１０から奥に入らないように留める。
【００１４】
図２に示すように、本体２００の下面２０１は、本体２００を立てることができるように、平坦な面である。床面など水平面に沿って本体２００を載置した状態で、テープ３００を収納口２１０から引くと、床面に沿ってテープ３００も伸びる。すなわち、収納口２１０は、水平面に対して本体２００の下面２０１を沿わせた状態で、水平面に沿ってテープ３００が出るような位置に設けられる。
【００１５】
テープ３００を引き出したとき、本体２００の下面２０１とテープ３００の下面とが一直線上である。測定対象物が平坦な場合、本体２００を対象物に置いてテープ３００の上面を用いて測定すれば、テープ３００に傾きが生じないので、誤差も生じにくい。なお、テープ３００の上面と下面のどちらを測定に使用しても良いが、上面を表面として通常の場合に使用し、下面を裏面として特別な場合に使用する。
【００１６】
図１に示すように、収納口２１０は、本体２００の内部と外部を繋ぐために、本体２００の正面下部に設けた孔である。収納口２１０は、テープ３００が通るような横長の形状であり、テープ３００が本体２００の内部に収納されるとき、又はテープ３００が外部へ延ばされるときに、テープ３００の中間部が通過する。テープ３００の先端にはツメ３１０が取り付けられ、テープ３００の収納時にはツメ３１０が収納口２１０に引っ掛かっており、テープ３００の使用時にはツメ３１０を指などに掛けて引き延ばす。
【００１７】
ツメ３１０は、変形しにくい材質の金属板であり、水平に延ばしたテープ３００の先端に引っ掛かりを付けられれば良く、形状は任意である。例えば、テープ３００と同じ幅で高さの小さい長方形状にしても良いし、先端を先細りにしても良い。ただし、ツメ３１０を下方に突出させると、テープ３００に傾きが生じて測定結果に誤差が出るため、ツメ３１０は上方にのみ突出させる。
【００１８】
ツメ３１０を下方に突出させた場合、ツメ３１０の高さだけテープ３００に傾きが生じ、誤差の原因となる。なお、本体２００の下面２０１に脚を付ける、又は収納口２１０を上方に設ける等したとしても、テープ３００が浮くので測定対象物との間が離れて測定しづらくなる。また、ツメ３１０が出っ張って邪魔となるばかりか、本体２００を地面などに落としたときにツメ３１０が変形する場合や、ツメ３１０が他の物を傷付ける場合もある。
【００１９】
ツメ３１０は、本体２００に対向している内側と、本体２００と反対側である外側の両方を使用する。ツメ３１０の外側を当てる場合は、テープ３００の上面を用いて測定し、ツメ３１０の内側を掛ける場合は、テープ３００の下面を用いて測定する。例えば、対象物が中空の箱の場合、箱の内部の長さについては、ツメ３１０の外側を箱の内壁に当てた状態でテープ３００を延ばして測定し、箱の外部の長さについては、ツメ３１０の内側を箱の外壁に掛けた状態でテープ３００を延ばして測定する。
【００２０】
引き延ばしたテープ３００を一時的にその状態を維持させるために、本体２００にはストッパ２２０を設ける。ストッパ２２０は、図１に示すように、スライド式でも良いし、プッシュ式やその他の方式でも良い。ストッパ２２０をスライド式にした場合、本体２００の正面など、収納口２１０の上方などに、ストッパ２２０を設置するための溝２２１を設ける。溝２２１は縦長などにし、ストッパ２２０が上下にスライド移動可能に取り付けられる。
【００２１】
そして、例えば、ストッパ２２０を下の位置に移動させたときはテープ３００が収納されないように固定し、ストッパ２２０を上の位置に移動させたときはテープ３００の固定を解除する。なお、テープ３００が常に収納されるように本体２００の内部への力が付勢されている場合には、ストッパ２２０によってテープ３００が収納されることのみを抑制し、テープ３００が引き延ばされることは可能な状態にしておいても良い。
【００２２】
なお、図３に示すように、測定者が携行しやすいように、本体２００の側面の一方には、測定者のベルトなどに掛けるための掛具２３０などを設けても良い。また、本体２００の背面側などにストラップなど環状の紐を取り付け、測定者の指などに掛けられるようにしても良い。
【００２３】
次に、スケールのテープについて説明する。図４は、スケールのテープのツメを押し付けて計測する場合を示す図である。図５は、スケールのテープのツメを掛けて計測する場合を示す図である。測定者は、スケール１００の本体２００を左手で持ち、収納口２１０が右側にある状態で、右手をテープ３００のツメ３１０に掛け、テープ３００を引き延ばす。そして、ストッパ２２０を入れてテープ３００が収納されないように保持する。
【００２４】
例えば、図４に示すように、テープ３００のツメ３１０を壁面４１０に押し当て、床面４００に沿って壁面４１０からの距離を測定する。テープ３００の表面３０１には、ツメ３１０を含めたテープ３００の先端からの距離に応じて目盛り３０３が付されている。目盛り３０３は、通常メートル法（１ミリメートル単位）で付されるが、尺や寸を使用する尺貫法や、インチやフィートを使用するヤード・ポンド法で付されても良い。
【００２５】
また、目盛り３０３は、右利き用の場合、テープ３００の先端が右側になるようにしたときに、右から左に向かって昇順に数字が表示される。このとき、左手は本体２００を掴んでいるが、右手はフリーな状態である。そのため、例えば壁面４１０から５センチメートルの位置を知りたい場合、測定者は右手で鉛筆などを持ち、目盛り３０３に従って、床面４００に目印などを書き入れれば良い。
【００２６】
テープ３００は、断面が湾曲した形状である。すなわち、テープ３００の幅方向における両端部に対して中央部が盛り下がる又は盛り上がった状態となる。なお、テープ３００が延びる方向を長手方向とし、テープ３００を横断する方向を幅方向とする。本体２００の内部への収納時には、テープ３００は湾曲した状態からフラットな状態になって巻回される。本体２００から引き出されると、テープ３００は湾曲した形状に戻り、テープ３００は途中で折れ曲がりづらくなる。そのため、テープ３００は一直線上になり、床面４００に沿った状態となる。
【００２７】
また、図５に示すように、テープ３００のツメ３１０を側面４３０に掛けて、上面４２０に沿って側面４２０からの距離を測定する。テープ３００の裏面３０２には、ツメ３１０を除いたテープ３００の先端からの距離に応じて目盛り３０４が付されている。このとき、本体２００は下面３０１が上向きの状態であるため、本体２００とツメ３１０が対象物よりも下の位置に存在できる空間が確保されている必要がある。少なくとも、本体２００から延ばしたテープ３００の部分だけは平坦な状態を確保できれば良い。
【００２８】
次に、テープに表示する目盛りについて説明する。図６（ａ）は、スケールのテープの表面に付した目盛りを示す図であり、図６（ｂ）はスケールのテープの裏面に付した目盛りを示す図である。スケール１００は、ツメ３１０を押し当てて測定しても良いし、ツメ３１０を掛けて測定しても良い。しかし、ツメ３１０を押し当てる場合と、ツメ３１０を掛ける場合とでは、ツメ３１０の厚さの分だけ誤差が生じる可能性がある。そのため、ツメ３１０の厚さを考慮して基準の位置を変更しても良い。
【００２９】
図６（ａ）に示すように、テープ３００の表面３０１は、ツメ３１０を押し当てて測定することを想定しているため、ツメ３１０の厚さを含めたテープ３００の先端を基準とする。また、図６（ｂ）に示すように、テープ３００の裏面３０２は、ツメ３１０を掛けて測定することを想定しているため、ツメ３１０の厚さを除いたテープ３００の先端を基準とする。なお、ここでの基準は、目盛り３０３、３０４が「０（ゼロ）」となる位置である。
【００３０】
ツメ３１０は、テープ３００の先端において留具３１１を使用して取り付けられる。そこで、ツメ３１０を固定する留具３１１にスライド機構などを設けて、ツメ３１０の位置をずらせるようにしても良い。テープ３００自体の先端を基準とし、ツメ３１０を押し当てた場合には、ツメ３１０の外側がテープ３００自体の先端まで押され、ツメ３１０を掛けた場合には、ツメ３１０の内側がテープ３００自体の先端まで引かれれば良い。
【００３１】
また、ツメ３１０の固定に留具３１１を使用すると、テープ３００の先端付近の目盛り３０３、３０４が隠れてしまうことがある。そこで、テープ３００の先端ではなく、例えば、目盛り３０３、３０４が「１０」の位置から「０」が始まるようにシフト目盛り３０５を併記しても良い。シフト目盛り３０５は、例えば、１０センチメートルごとに、「０／１０」、「１０／２０」、「２０／３０」のように表示されれば良い。なお、通常の目盛り３０３、３０４を使用しているか、シフト目盛り３０５を使用しているか分かりやすくするために、数字の大きさや色などを変えても良い。
【００３２】
以上、本考案の実施例を述べたが、これらに限定されるものではない。
【符号の説明】
【００３３】
１００：スケール
２００：本体
２０１：下面
２１０：収納口
２２０：ストッパ
２２１：溝
２３０：掛具
３００：テープ
３０１：表面
３０２：裏面
３０３：目盛り
３０４：目盛り
３０５：シフト目盛り
３１０：ツメ
３１１：留具
４００：床面
４１０：壁面
４２０：上面
４３０：側面
【図１】
0003199897.tif 000003
【図２】
0003199897.tif 000004
【図３】
0003199897.tif 000005
【図４】
0003199897.tif 000006
【図５】
0003199897.tif 000007
【図６】
0003199897.tif 000008